(57)【要約】【課題】  充電台への携帯通信端末装置の装着時の操作性が向上し、携帯通信端末装置の装着方向を一定にすることができると共に、装着時の携帯通信端末装置の前後・左右への倒れ込み量を低減させることができる携帯通信端末装置用充電台を提供する。【解決手段】  携帯通信端末装置の充電接続部と接触して導通する給電端子２４と、傾斜背面部２２ｃより突出するように付勢され携帯通信端末装置の係合部と係合する係止ノブ２６と、両側の壁部側面２２ｃの外側縁部の下部に幅方向内側にせり出した第１リブ２８と、両側の壁部側面の下部に幅方向内側に突出し携帯通信端末装置の係合部と係合する第２リブ３０とを有し、係止ノブ先端までの高さをＨ１、第１リブの頂部までの高さをＨ３、第２リブの頂部までの高さをＨ２としたとき、Ｈ１＜Ｈ２＜Ｈ３の関係となるように形成した。【選択図】      図１
2007068315.tif 000002
【特許請求の範囲】
【請求項１】
携帯通信端末装置を傾斜させた状態で保持する装着凹部を有し、該装着凹部には前記携帯通信端末装置が装着されたときにその前面を露出させる開放部が上下斜め方向にわたって形成された携帯通信端末装置用充電台であって、
前記装着凹部は、携帯通信端末装置の充電接続部と接触して導通する給電端子と、前記装着凹部を形成する傾斜背面部より突出するように付勢され携帯通信端末装置の係合部と係合する係止ノブと、前記装着凹部を形成する両側の壁部側面の外側縁部の下部に幅方向内側にせり出した第１リブと、前記装着凹部を形成する両側の壁部側面の下部に幅方向内側に突出し携帯通信端末装置の係合部と係合する第２リブとを有し、
携帯通信端末装置用充電台を載置する載置面から前記係止ノブ先端までの高さをＨ１、前記載置面から前記第１リブの頂部までの高さをＨ３、前記載置面から前記第２リブの頂部までの高さをＨ２としたとき、Ｈ１＜Ｈ２＜Ｈ３の関係となるように形成してあることを特徴とする携帯通信端末装置用充電台。
【発明の詳細な説明】
【技術分野】
【０００１】
本発明は、例えば携帯電話機やＰＤＡのような携帯通信端末装置を装着して、当該携帯通信端末装置に搭載した二次電池を充電する携帯通信端末装置用充電台に関するものである。
【背景技術】
【０００２】
従来の携帯通信端末装置用充電台としては、例えば、図３に示すような充電台１０があった。同図に示す充電台１０は、携帯電話機用として用いられるもので、図４に示すように、頂面に開口する挿入凹部１２に携帯電話機１４を挿し込んで装着し、挿入凹部１２の底部に備える給電端子１６を携帯電話機１４の充電接続部（図示せず）に挿し込んで導通接続させた状態にして、充電動作を作動するようになっている。
【０００３】
しかしながら、このような従来の携帯電話機用充電台１０は、その構造体が携帯電話機１４の周りを取り囲むように全周にわたる筒状に形成されているため、充電台１０の大型化、重量増を招き、取り扱いが不便であると共に、それを配置するスペースにも大きな面積が必要となるという問題があった。
【０００４】
そこで図５，図６に示すような携帯電話機用充電台２０のように、携帯電話機（図示せず）の長さ方向を縦にして、垂直方向に対して１０°前後傾けて装着することができるものが従来からあった。このような充電台２０によれば、その大型化、重量増を低減できるだけでなく、充電中でも携帯電話機に備えた表示部を見易くできるようにすることができる。
【０００５】
このような従来の携帯電話機用充電台２０は、携帯電話機を装着することができるように凹状に形成された装着凹部２２が設けられ、この装着凹部２２には、外側に開放する開放部２２ａが形成されている。装着凹部２２の幅方向両側の、携帯電話機の下端部の両側部に対向してそれを受ける２つの受け部２２ｂのそれぞれには、携帯電話機の充電接続部と導通接続して携帯電話機の二次電池を充電するための、給電端子２４が上方に向かって突出して設けられている。
【０００６】
装着凹部２２の開放部２２ａの奥側には、垂直方向に対して１０°前後傾斜した傾斜背面部２２ｃが形成されている。この傾斜背面部２２ｃの下部には、係止ノブ２６が設けられている。この係止ノブ２６は、装着凹部２２に携帯電話機を装着したときに、携帯電話機のケースの下端部の背面側に形成された凹状の係合部に係合して、携帯電話機を装着凹部２２に安定して装着させることができるようになっている。
【０００７】
装着凹部２２の開放部２２ａの幅方向の長さを規制する両側の、壁部側面２２ｅの、外側に位置する外側縁部の下部には、第１リブ２８が設けられている。この第１リブ２８は、最上部が給電端子２４の最上部の高さ位置より高い高さ位置に配置されると共に、開放部２２ａの幅方向内側の側辺部が、その開放部２２ａの幅を狭めるようにその幅方向内側にせり出して形成されている。
【０００８】
図５に示すように、このような第１リブ２８が装着凹部２２の幅方向両側にあることにより、装着凹部２２に携帯電話機を装着したときに、携帯電話機の下端部前面が第１リブ２８の内側に保持されるので、携帯電話機が装着凹部２２の受け部２２ｂから容易に滑り落ちたりして脱落することを防止できるようになっている。
【０００９】
装着凹部２２の開放部２２ａの幅方向中央部の下方には、係止ノブ２６や給電端子２４により囲まれた凹部２０ａが形成されている。この凹部２０ａは、受け部２２ｂに対向する携帯電話機の下端部の、幅方向中央部にデータ通信用ケーブルプラグ（図示せず）が連結している場合に、このデータ通信用ケーブルプラグが、装着凹部２２の下部にぶつからないで、凹部２０ａ内に収まるようにするために形成されている。
【発明の開示】
【発明が解決しようとする課題】
【００１０】
しかしながら、このような従来の携帯通信端末装置用充電台２０にあっては、第１リブ２８をあまり高くすると、装着凹部２２への携帯電話機の装着時の操作性が悪化する反面、第１リブ２８をあまり低くすると、装着凹部２２への携帯電話機の装着方向が定まらないと共に、装着時の携帯電話機の前後・左右への倒れ込み量が大きくなって安定しないという問題があった。
【００１１】
また上記のように、装着凹部２２への携帯電話機の装着方向が定まらないことにより、給電端子２４に携帯電話機の筐体の一部が当たって、給電端子２４に損傷を与えたり、携帯電話機の筐体に傷を付けたりするおそれがあった。そして、上記問題点のすべてをを防止するためには、第１リブ２８の高さを調整するだけでは中途半端となり、根本的な解決を図ることはできなかった。
【００１２】
そこで本発明は、上記問題点に鑑みて、充電台への携帯通信端末装置の装着時の操作性が向上し、携帯通信端末装置の装着方向を一定にすることができると共に、装着時の携帯通信端末装置の前後・左右への倒れ込み量を低減させることができる携帯通信端末装置用充電台を提供することを課題とするものである。
【課題を解決するための手段】
【００１３】
上記課題を解決するために本発明は、
携帯通信端末装置を傾斜させた状態で保持する装着凹部を有し、該装着凹部には前記携帯通信端末装置が装着されたときにその前面を露出させる開放部が上下斜め方向にわたって形成された携帯通信端末装置用充電台であって、
前記装着凹部は、携帯通信端末装置の充電接続部と接触して導通する給電端子と、前記装着凹部を形成する傾斜背面部より突出するように付勢され携帯通信端末装置の係合部と係合する係止ノブと、前記装着凹部を形成する両側の壁部側面の外側縁部の下部に幅方向内側にせり出した第１リブと、前記装着凹部を形成する両側の壁部側面の下部に幅方向内側に突出し携帯通信端末装置の係合部と係合する第２リブとを有し、
携帯通信端末装置用充電台を載置する載置面から前記係止ノブ先端までの高さをＨ１、前記載置面から前記第１リブの頂部までの高さをＨ３、前記載置面から前記第２リブの頂部までの高さをＨ２としたとき、Ｈ１＜Ｈ２＜Ｈ３の関係となるように形成してあることを特徴とするものである。
【発明の効果】
【００１４】
本発明の携帯通信端末装置用充電台によれば、充電台への携帯通信端末装置の装着時の操作性が向上し、携帯通信端末装置の装着方向を一定にすることができると共に、装着時の携帯通信端末装置の前後・左右への倒れ込み量を低減させることができる。
【発明を実施するための最良の形態】
【００１５】
以下、本発明の実施の形態について、図面に基づいて具体的に説明する。
図１及び図２は、本発明の携帯通信端末装置用充電台の一実施の形態を、携帯電話機用充電台２１に適用した例を説明するための図である。従来の図５，図６と同様の部分については同じ符号を用いて説明する。
【００１６】
図１及び図２に示す携帯電話機用充電台２１は、携帯電話機を装着することができるように凹状に形成された装着凹部２２が設けられ、この装着凹部２２には、外側に開放する開放部２２ａが形成されている。装着凹部２２の幅方向両側の、携帯電話機の下端部の両側部に対向してそれを受ける支持面を有する２つの受け部２２ｂのそれぞれには、携帯電話機の充電接続部と導通接続して携帯電話機の二次電池を充電するための、給電端子２４が上方に向かって突出して設けられている。
【００１７】
装着凹部２２の開放部２２ａの奥側には、垂直方向に対して１０°前後傾斜した傾斜背面部２２ｃが形成されている。この傾斜背面部２２ｃの下部には、係止ノブ２６が設けられている。この係止ノブ２６は、装着凹部２２に携帯電話機を装着したときに、携帯電話機のケースの下端部の背面側に形成された凹状の係合部に係合して、携帯電話機を装着凹部２２に安定して装着させることができるようになっている。
【００１８】
装着凹部２２の開放部２２ａの幅方向の長さを規制する両側の、壁部側面２２ｅの、外側に位置する外側縁部の下部には、第１リブ２８が設けられている。この第１リブ２８は、頂部が給電端子２４の最上部の高さ位置より高い高さ位置に配置されると共に、開放部２２ａの幅方向内側の側辺部が、その開放部２２ａの幅を狭めるようにその幅方向内側にせり出して形成されている。
【００１９】
図１に示すように、このような第１リブ２８が装着凹部２２の幅方向両側にあることにより、装着凹部２２に携帯電話機を装着したときに、携帯電話機の下端部前面が第１リブ２８の内側に保持されるので、携帯電話機が装着凹部２２の受け部２２ｂから容易に滑り落ちたりして脱落することを防止できるようになっている。
【００２０】
装着凹部２２の開放部２２ａの幅方向中央部の下方には、係止ノブ２６や給電端子２４により囲まれた凹部２０ａが形成されている。この凹部２０ａは、受け部２２ｂに対向する携帯電話機の下端部の、幅方向中央部にデータ通信用ケーブルプラグ（図示せず）が連結している場合に、このデータ通信用ケーブルプラグが、装着凹部２２の下部にぶつからないで、凹部２０ａ内に収まるようにするために形成されている。
【００２１】
本実施の形態においては、図１及び図２に示すように、携帯電話機用充電台２１の、装着凹部２２の幅方向両側にある一対の第１リブ２８のそれぞれの内側（傾斜背面部２２ｃ側）、かつ、装着凹部２２の開放部２２ａの幅方向を規制する両側の壁部側面２２ｅの下部には、一対の第２リブ３０が設けられている。この第２リブ３０は長さを有し、この長さは３〜１０ｍｍ位に設定されるのが好ましい。
【００２２】
この第２リブ３０は、充電台２１の装着凹部２２に携帯電話機を装着するときに、携帯電話機の下端部の両側部に形成された一対の、長さを有する凹状の係合部に係合するようになっている。そして、このように装着凹部２２に携帯電話機を装着するときに、第２リブ３０は、携帯電話機の移動方向（装着方向）を一定にするよう案内するようになっている。
【００２３】
また、第２リブ３０の長さは、３〜１０ｍｍ位に設定されることにより、携帯電話機の移動方向を一定にすることができると共に、携帯電話機の装着時の操作性を向上することができる。
【００２４】
図２に示すように、第１リブ２８及び第２リブ３０のそれぞれの頂部の、充電台２１の載置面２１ａからの高さＨ３，Ｈ２は、係止ノブ２６の載置面２１ａからの高さＨ１より高い高さとなっている。
【００２５】
そして、第１リブ２８の頂部の、載置面２１ａからの高さＨ３は、第２リブ３０の頂部の、載置面２１ａからの高さＨ２より高い高さ位置に設けられている。
【００２６】
図２に示すように、係止ノブ２６は、傾斜背面部２２ｃから凹部２０ａ内に突出するように常時バネにより付勢されており、携帯電話機が装着されるときは、その下端部に押されて係止ノブ２６は傾斜背面部２２ｃの内側に押し込まれるものの、その装着が完了した後は再び傾斜背面部２２ｃから突出して、その先端部が携帯電話機の凹状の係合部に係合するようになっている。
【００２７】
また、給電端子２４も受け部２２ｂから上方に突出するように常時バネにより付勢されており、その付勢力により給電端子２４は携帯電話機の充電接続部と導通接続するようになっている。
【００２８】
充電台２１の装着凹部２２に携帯電話機が装着されるときは、携帯電話機の下端部の両側部に形成された２つの溝状の係合部に、装着凹部２２の幅方向両側の２つの第２リブ３０が係合してそれに案内されながら装着されるので、装着凹部２２への携帯電話機の装着時の操作性が向上すると共に、装着凹部２２への携帯電話機の装着方向を一定にすることができるので、装着時の携帯電話機の前後・左右への倒れ込み量を低減させることができる。
【００２９】
また、第１リブ２８及び第２リブ３０のそれぞれの頂部の、充電台２１の載置面２１ａからの高さＨ３，Ｈ２は、係止ノブ２６の載置面２１ａからの高さＨ１より高い高さとなっているので、携帯電話機の下端部にデータ通信用ケーブルプラグが連結している場合でも、そのデータ通信用ケーブルプラグが装着凹部２２の傾斜背面部２２ｃに当るのを防止して、充電台２０への携帯電話機の装着時の操作性を向上させることができる。
【００３０】
また、充電台２１の載置面２１ａからの第２リブ３０の頂部迄の高さＨ２よりも、載置面２１ａから第１リブ２８の頂部迄の高さＨ３の方が高くなるように、第１リブ２８と第２リブ３０を配置したことにより、携帯電話機が充電台２１の装着凹部２２に装着されるときに、第１リブ２８により大体の位置決めをしてから、第２リブ３０を携帯電話機の係合部に係合させて、その移動方向が一定になるよう案内されることができる。
【００３１】
このため、携帯電話機用充電台２１への装着時の操作性を向上させることができる。また、第１リブ２８の頂部の載置面２１ａからの高さＨ３は、第２リブ３０の頂部の載置面２１ａからの高さＨ２より高い高さ位置に設けられているので、第２リブ３０が第１リブ２８の後方から覗くように見えるのを防止できるため、携帯電話機用充電台２１の見栄えを良くすることができる。
【００３２】
以上説明したように、本発明の一実施の形態によれば、充電台２１への携帯電話機の装着時の操作性が向上し、携帯電話機の装着方向を一定にすることができると共に、装着時の携帯電話機の前後・左右への倒れ込み量を低減させることができる。
【００３３】
このため、充電台２１への携帯電話機の装着時に、給電端子２４に携帯電話機の筐体の一部が当たって、給電端子２４に損傷を与えたり、携帯電話機の筐体に傷を付けたりすることを防止することができる。
【００３４】
なお、上記実施の形態においては、本発明を携帯電話機用充電台に適用した場合について説明したが、本発明は、例えばＰＤＡ（Ｐｅｒｓｏｎａｌ  Ｄｉｇｉｔａｌ  Ａｓｓｉｓｔａｎｔ）のような、他のどのような携帯通信端末装置用の充電台にも本発明を適用することができることはいうまでもない。
【図面の簡単な説明】
【００３５】
【図１】本発明の一実施の形態に係る携帯電話機用充電台２１を示す斜視図である。
【図２】図１における携帯電話機用充電台２１のＡ−Ａ線断面図である。
【図３】従来の携帯電話機用充電台１０を示す斜視図である。
【図４】図３における携帯電話機用充電台１０の挿入凹部１２に携帯電話機１４を挿し込んで装着した状態を示す充電台１０の縦断面図である。
【図５】他の従来の携帯電話機用充電台２０を示す斜視図である。
【図６】図５における携帯電話機用充電台２０のＢ−Ｂ線断面図である。
【符号の説明】
【００３６】
１０  携帯電話機用充電台
１２  挿入凹部
１４  携帯電話機
１６  給電端子
２０，２１  携帯電話機用充電台
２１ａ  載置面
２２  装着凹部
２２ａ  開放部
２２ｂ  受け部
２２ｃ  傾斜背面部
２２ｅ  壁部側面
２４  給電端子
２６  係止ノブ
２８  第１リブ
３０  第２リブ
【図１】
2007068315.tif 000003
【図２】
2007068315.tif 000004
【図３】
2007068315.tif 000005
【図４】
2007068315.tif 000006
【図５】
2007068315.tif 000007
【図６】
2007068315.tif 000008